(57)【要約】      （修正有）【課題】マスコット装飾体を着脱自在に取付けられるバッグを提供する。【解決手段】バッグ１は、バッグ本体部２と一対の帯状部３ａ、３ｂを有しており、帯状部３ａ、３ｂにマスコット装飾体４を取付ける手段としてそれぞれ相互に係脱自在に係止される係止片と被係止片の１組から成る第１係止手段と第２係止手段が設けられており、上下に重ねた状態でユーザの肩に掛けられる一対の帯状部３ａ、３ｂに対して、マスコット装飾体４は、底部の載置部を上側の帯状部３ａに載置した状態で、フラップにより下側の帯状部３ｂを下から抱持するように構成され、下側の帯状部３ｂの下面と、該下面に対面するフラップの上面の相互に第１係止手段を設け、フラップの先端部と、先端部に対面する底部の側部の相互に第２係止手段を設けている。【選択図】図１
0003231299.tif 000002
【実用新案登録請求の範囲】
【請求項１】
マスコット装飾体を着脱自在に取付けて成るバッグにおいて、
それぞれ相互に係脱自在に係止される係止片(5a,6a)と被係止片(ab,6b)の１組から成る第１係止手段(5)と第２係止手段(6)が設けられており、
前記バッグ(1)は、上下に重ねた状態でユーザの肩に掛けられる一対の帯状部(3a,3b)を備え、
前記マスコット装飾体(4)は、底部の両側部の間に平坦な載置部(7)を形成すると共に、該載置部を被って前記底部の両側部に跨り延びるフラップ(9)を設け、該フラップの基端部(9a)を前記底部の一方の側部(8A)に揺動自在に連結し、先端部(9b)を前記底部の他方の側部(8B)に臨ませるように構成されており、
前記載置部(7)を前記上側の帯状部(3a)に載置した状態で、前記フラップ(9)により前記下側の帯状部(3b)を下から抱持するように構成し、
前記バッグにおける下側の帯状部(3b)の下面と、該下面に対面する前記フラップ(9)の上面の相互に、前記第１係止手段(5)の係止片(5a)と被係止片(5b)を設け、
前記マスコット装飾体(4)におけるフラップ(9)の先端部(9a)と、該先端部に対面する前記底部の他方の側部(8B)の相互に、前記第２係止手段(6)の係止片(6a)と被係止片(6b)を設けて成ることを特徴とするマスコット付きバッグ。
【請求項２】
マスコット装飾体を着脱自在に取付けて成るバッグにおいて、
それぞれ相互に係脱自在に係止される係止片(5a,6a)と被係止片(ab,6b)の１組から成る第１係止手段(5)と第２係止手段(6)が設けられており、
前記バッグ(1)は、上下に重ねた状態でユーザの肩に掛けられる一対の帯状部(3a,3b)を備え、
前記マスコット装飾体(4)は、底部の両側部の間に平坦な載置部(7)を形成すると共に、該載置部を被って前記底部の両側部に跨り延びるフラップ(9)を設け、該フラップの基端部(9a)を前記底部の一方の側部(8A)に揺動自在に連結し、先端部(9b)を前記底部の他方の側部(8B)に臨ませるように構成されており、
前記載置部(7)を前記上側の帯状部(3a)に載置した状態で、前記フラップ(9)により前記下側の帯状部(3b)を下から抱持するように構成し、
前記バッグにおける上側の帯状部(3a)の上面と、該上面に対面する前記マスコット装飾体の載置部(7)の相互に、前記第１係止手段(5)の係止片(5a)と被係止片(5b)を設け、
前記マスコット装飾体(4)におけるフラップ(9)の先端部(9a)と、該先端部に対面する前記底部の他方の側部(8B)の相互に、前記第２係止手段(6)の係止片(6a)と被係止片(6b)を設けて成ることを特徴とするマスコット付きバッグ。
【考案の詳細な説明】
【技術分野】
【０００１】
本考案は、マスコット装飾体を着脱自在に取付けて成るバッグに関する。
【背景技術】
【０００２】
従来、種々のバッグが提供されているが、近年、スーパーマーケット等でレジ袋が有料化された結果、ショッピングバッグのニーズが高まっている。
【０００３】
このようなレジ袋に代わるショッピングバッグは、通常、薄手の織物生地により縫製されており、バッグ本体部の開口部に位置して、対向する開口縁部から倒立Ｕ形とされた一対の帯状部を上向きに延設している。一対の帯状部は、手提げ帯として機能する他、ユーザの肩に掛けられる肩掛け帯として機能するように構成されている。
【０００４】
ところで、ショッピングバッグに関して、趣味感や美観を向上するため、マスコット装飾体を着脱自在に取付けたものが提案されている。
【先行技術文献】
【特許文献】
【０００５】
【特許文献１】実用新案登録第３１５４３６７号公報
【特許文献２】実用新案登録第３１６３８４０号公報
【考案の概要】
【考案が解決しようとする課題】
【０００６】
特許文献１や特許文献２は、バッグを折畳んだ状態で収納することができるポケット袋を設け、ポケット袋をマスコットにより表されたぬいぐるみにより形成している。
【０００７】
ところが、特許文献１や特許文献２のぬいぐるみは、折畳んだバッグを収納することが目的であるから、表現可能なキャラクタの形態に制約があり、自由にデザインすることができない。
【０００８】
そこで、ショッピングバッグの趣味感や美観を向上するためには、専ら装飾を目的としたマスコット装飾体を提供し、これをバッグに着脱自在に取付けるように構成することが好ましい。
【０００９】
しかしながら、マスコット装飾体の着脱自在な取付手段や取付部位をどのように構成するのが良いか、装飾専用としながらも機能性を付加できない等々について、解決すべき課題がある。
【００１０】
本考案は、上記課題を解決したマスコット付きバッグを提供するものである。
【課題を解決するための手段】
【００１１】
そこで、本考案が第一の手段として構成したところは、マスコット装飾体を着脱自在に取付けて成るバッグにおいて、それぞれ相互に係脱自在に係止される係止片と被係止片の１組から成る第１係止手段と第２係止手段が設けられており、前記バッグは、上下に重ねた状態でユーザの肩に掛けられる一対の帯状部を備え、前記マスコット装飾体は、底部の両側部の間に平坦な載置部を形成すると共に、該載置部を被って前記底部の両側部に跨り延びるフラップを設け、該フラップの基端部を前記底部の一方の側部に揺動自在に連結し、先端部を前記底部の他方の側部に臨ませており、前記載置部を前記上側の帯状部に載置した状態で、前記フラップにより前記下側の帯状部を下から抱持するように構成されており、前記バッグにおける下側の帯状部の下面と、該下面に対面する前記フラップの上面の相互に、前記第１係止手段の係止片と被係止片を設け、前記マスコット装飾体におけるフラップの先端部と、該先端部に対面する前記底部の他方の側部の相互に、前記第２係止手段の係止片と被係止片を設けて成る点にある。
【００１２】
また、本考案が第二の手段として構成したところは、マスコット装飾体を着脱自在に取付けて成るバッグにおいて、それぞれ相互に係脱自在に係止される係止片と被係止片の１組から成る第１係止手段と第２係止手段が設けられており、前記バッグは、上下に重ねた状態でユーザの肩に掛けられる一対の帯状部を備え、前記マスコット装飾体は、底部の両側部の間に平坦な載置部を形成すると共に、該載置部を被って前記底部の両側部に跨り延びるフラップを設け、該フラップの基端部を前記底部の一方の側部に揺動自在に連結し、先端部を前記底部の他方の側部に臨ませており、前記載置部を前記上側の帯状部に載置した状態で、前記フラップにより前記下側の帯状部を下から抱持するように構成されており、前記バッグにおける上側の帯状部の上面と、該上面に対面する前記マスコット装飾体の載置部の相互に、前記第１係止手段の係止片と被係止片を設け、前記マスコット装飾体におけるフラップの先端部と、該先端部に対面する前記底部の他方の側部の相互に、前記第２係止手段の係止片と被係止片を設けて成る点にある。
【考案の効果】
【００１３】
本考案によれば、ユーザが帯状部３ａ、３ｂを肩に掛けた状態でバッグ１を携帯するとき、マスコット装飾体４がユーザの肩の上に起立した状態で表されることにより、趣味感に優れた美的効果を現出する。そして、バッグ１の開口部を大きく開く必要があるときは、第１係止手段５の係止片５ａと被係止片５ｂの係止を解除すれば、マスコット装飾体４は、第２係止手段６を係止したままの状態で、帯状部３ａ、３ｂに沿って摺動ないし移動することにより、一対の帯状部３ａ、３ｂを離反自在として、開口部を開放させることが可能となる。
【図面の簡単な説明】
【００１４】
【図１】本考案の実施形態を示しており、（Ａ）はマスコット装飾体をバッグの一対の帯状部に取付けた状態を示す斜視図、（Ｂ）はマスコット装飾体をバッグの帯状部に沿って移動させた状態を示す斜視図である。
【図２】本考案の第１実施形態を示しており、バッグの帯状部とマスコット装飾体を上下に分離配置した状態を示す斜視図である。
【図３】第１実施形態に関して、バッグの帯状部とマスコット装飾体を左右に分離配置した状態を示す斜視図である。
【図４】第１実施形態に関して、マスコット装飾体をバッグの帯状部に取付けた状態を示しており、（Ａ）は上方から見た斜視図、（Ｂ）は側方から見た斜視図である。
【図５】第１実施形態に関して、マスコット装飾体をバッグの帯状部に取付ける方法を示しており、（Ａ）はフラップを開いた状態の正面図、（Ｂ）はフラップを閉じることにより所定位置に取付けた状態の正面図、（Ｃ）はマスコット装飾体を帯状部に沿って移動させるため第１係止手段の係止を解除した状態の正面図である。
【図６】本考案の第２実施形態を示しており、装飾体をバッグの帯状部に取付ける方法に関し、（Ａ）はフラップを開いた状態の正面図、（Ｂ）はフラップを閉じることにより所定位置に取付けた状態の正面図、（Ｃ）はマスコット装飾体を帯状部に沿って移動させるため第１係止手段の係止を解除した状態の正面図である。
【考案を実施するための形態】
【００１５】
以下図面に基づいて本考案の好ましい実施形態を詳述する。
【００１６】
図面において、バッグ１は、レジ袋に代わるショッピングバッグを例示しており、図１に示すように、全体が薄手の織物生地により縫製されており、バッグ本体部２の開口部に位置して、対向する開口縁部から倒立Ｕ形とされた一対の帯状部３ａ、３ｂを上向きに延設している。一対の帯状部３ａ、３ｂは、両帯状部３ａ、３ｂを上下に重ね合わせた状態でユーザの肩に掛けられる肩掛け帯として機能するように構成され、両帯状部３ａ、３ｂを並設させた状態で手提げ帯としても機能するように構成されており、両帯状部３ａ、３ｂを相互に離反させることによりバッグ本体部２の上部を大きく開口させることができる。
【００１７】
そこで、前記帯状部３ａ、３ｂに対して、マスコット装飾体４が着脱自在に取付けられている。マスコット装飾体４は、人物や動物等のキャラクタの他、自由なデザインを施したものとして形成することができ、素材や構造に関しても、ぬいぐるみを形成しても良く、あるいは、プラスチックや合成ゴム等により中空又は中実のものに形成しても良く、この点は問わない。
【００１８】
本考案は、バッグ１の帯状部３ａ、３ｂに対してマスコット装飾体４が着脱自在に取付けられるように構成しており、取付のための手段として、それぞれ相互に係脱自在に係止される係止片と被係止片の１組から成る第１係止手段５と第２係止手段６を設けている。図示実施形態の場合、第１係止手段５は、係止手段５ａと被係止手段５ｂにより構成され、第２係止手段６は、係止手段６ａと被係止手段６ｂにより構成されている。
【００１９】
このような係脱自在な１組の係止手段と被係止手段は、衣服等に使用されているスナップボタンや、面ファスナにより構成することができ、その他、着脱自在に磁着係止される磁石により構成しても良い。
【００２０】
（第１実施形態）
図２ないし図５は、本考案の第１実施形態を示している。
【００２１】
マスコット装飾体４は、底部の両側部の間に平坦な載置部７を形成すると共に、該載置部７を被って前記底部の両側部８Ａ、８Ｂに跨り延びるフラップ９を設け、該フラップ９の基端部９ａを前記底部の一方の側部８Ａに揺動自在に連結し、先端部９ｂを前記底部の他方の側部８Ｂに臨ませるように構成されている。
【００２２】
前記基端部９ａは、フラップ９を揺動させるヒンジ１０を構成しており、これにより、フラップ９は、図５（Ａ）に示すようにマスコット装飾体４の底部から外側に向けて折曲された「開姿勢」と、図５（Ｂ）に示すようにマスコット装飾体４の底部に対面する「閉姿勢」との間において開閉自在ないし反転自在とされている。
【００２３】
そこで、マスコット装飾体４は、バッグ１の帯状部３ａ、３ｂを上下に重ね合わせた状態で、載置部７を上側の帯状部３ａに載せ、前記フラップ９により下側の帯状部３ｂを下から抱持することにより、取付けられる。
【００２４】
本考案は、ユーザが帯状部３ａ、３ｂを肩に掛けた状態でバッグ１を携帯するとき、マスコット装飾体４をユーザの肩の上に起立した状態で保持させ、趣味感に優れた美的効果を現出させ、ユーザがバッグ１の開口部を大きく開く必要があるときは、マスコット装飾体４を帯状部３ａ、３ｂから取外さなくても、簡単に帯状部３ａ、３ｂに沿って摺動ないし移動させ、これにより、一対の帯状部３ａ、３ｂを離反自在として、開口部を開放させることができるように工夫している。
【００２５】
第１実施形態の場合、バッグ１における下側の帯状部３ｂの下面と、該下面に対面する前記フラップ９の上面の相互に、前記第１係止手段５の係止片５ａと被係止片５ｂが設けられており、係止片５ａを被係止片５ｂに係止している。これにより、マスコット装飾体４は、帯状部３ｂに対して直接に固定されている。図面には、帯状部３ｂに係止片５ａを設け、フラップ９に被係止片５ｂを設けたものを示しているが、配置を反対として、帯状部３ｂに被係止片５ｂを設け、フラップ９に係止片５ａを設けても良い。
【００２６】
更に、前記マスコット装飾体４におけるフラップ９の先端部９ｂと、該先端部に対面する前記底部の他方の側部８Ｂの相互に、前記第２係止手段６の係止片６ａと被係止片６ｂが設けられており、係止片６ａを被係止片６ｂに係止している。これにより、上下に重ねられた帯状部３ａ、３ｂは、上下からマスコット装飾体４の載置部７とフラップ９により挟持された状態で保持される。図面には、フラップ９の先端部９ｂに係止片６ａを設け、底部の側部８Ｂに被係止片６ｂを設けたものを示しているが、配置を反対として、フラップ９の先端部９ｂに被係止片６ｂを設け、底部の側部８Ｂに係止片６ａを設けても良い。
【００２７】
従って、上下に重ねられた帯状部３ａ、３ｂに対して、マスコット装飾体４を取付ける場合は、図３及び図５（Ａ）に示すように、フラップ９を「開姿勢」として載置部７を上側の帯状部３ａの上に載せ、この状態から、図４及び図５（Ｂ）に示すように、フラップ９を「閉姿勢」とするように反転し、第１係止手段５の係止片５ａと被係止片５ｂを係止すると共に、第２係止手段６の係止片６ａと被係止片６ｂを係止すれば良い。
【００２８】
このようにして取付けられたマスコット装飾体４は、図１（Ａ）に示すように、ユーザがバッグ１の帯状部３ａ、３ｂを肩に掛けたとき、帯状部に固定された状態で、ユーザの肩の上に位置して起立姿勢を保持させられる。
【００２９】
ところで、バッグ１の開口部を大きく開かせる場合は、一対の帯状部３ａ、３ｂをマスコット装飾体４の載置部７とフラップ９により挟持された状態から解放し、帯状部３ａ、３ｂを離反自在とする必要がある。
【００３０】
この際、マスコット装飾体４は、帯状部３ａ、３ｂから取外さなくても、図５（Ｃ）に示すように、第１係止手段５の係止片５ａと被係止片５ｂの係止を解除するだけで、つまり、第２係止手段６を係止したままの状態で、帯状部３ａ、３ｂに沿って摺動ないし移動することができる。このため、図１（Ｂ）に示すように、マスコット装飾体４を帯状部３ａ、３ｂの端部に移動させれば、一対の帯状部３ａ、３ｂが離反自在とされ、バッグ１の開口部を開放させることが可能になる。
【００３１】
（第２実施形態）
図６は、本考案の第２実施形態を示している。
【００３２】
第２実施形態の場合、バッグ１の上下に重ねられた一対の帯状部３ａ、３ｂのうち、上側の帯状部３ａの上面と、該上面に対面する前記マスコット装飾体４の載置部７の相互に、前記第１係止手段５の係止片５ａと被係止片５ｂを設けている。その他の構成は、第１実施形態について上述した構成と同様である。
【００３３】
従って、上下に重ねられた帯状部３ａ、３ｂに対して、マスコット装飾体４を取付ける場合は、図６（Ａ）に示すように、フラップ９を「開姿勢」として載置部７を上側の帯状部３ａの上に載せ、第１係止手段５の係止片５ａと被係止片５ｂを係止させ、あわせて、図６（Ｂ）に示すように、フラップ９を「閉姿勢」とするように反転し、第２係止手段６の係止片６ａと被係止片６ｂを係止すれば良い。
【００３４】
このようにして取付けられたマスコット装飾体４は、図１（Ａ）に示すように、ユーザがバッグ１の帯状部３ａ、３ｂを肩に掛けたとき、帯状部に固定された状態で、ユーザの肩の上に位置して起立姿勢を保持させられる。
【００３５】
ところで、バッグ１の開口部を大きく開かせる場合は、一対の帯状部３ａ、３ｂをマスコット装飾体４の載置部７とフラップ９により挟持された状態から解放し、帯状部３ａ、３ｂを離反自在とする必要がある。
【００３６】
この際、マスコット装飾体４は、帯状部３ａ、３ｂから取外さなくても、図６（Ｃ）に示すように、第１係止手段５の係止片５ａと被係止片５ｂの係止を解除するだけで、つまり、第２係止手段６を係止したままの状態で、帯状部３ａ、３ｂに沿って摺動ないし移動することができる。このため、図１（Ｂ）に示すように、マスコット装飾体４を帯状部３ａ、３ｂの端部に移動させれば、一対の帯状部３ａ、３ｂが離反自在とされ、バッグ１の開口部を開放させることが可能になる。
【符号の説明】
【００３７】
１  バッグ
２  バッグ本体部
３ａ、３ｂ  帯状部
４  マスコット装飾体
５  第１係止手段
５ａ  係止片
５ｂ  被係止片
６  第２係止手段
６ａ  係止片
６ｂ  被係止片
７  載置部
８Ａ、８Ｂ  底部の両側部
９  フラップ
９ａ  基端部
９ｂ  先端部
１０  ヒンジ
【図１】
0003231299.tif 000003
【図２】
0003231299.tif 000004
【図３】
0003231299.tif 000005
【図４】
0003231299.tif 000006
【図５】
0003231299.tif 000007
【図６】
0003231299.tif 000008